(57)【特許請求の範囲】
【請求項１】
廃棄物の焼却炉より発生する排ガスに HCl除去剤としてナトリウム系薬剤のみを添加した後、この排ガスを集じん装置により集じん処理し、この集じん装置に捕集された飛灰を、そのまま、プラズマガスを空気としたプラズマトーチを用いたプラズマ溶融方式の溶融炉においてプラズマにより溶融処理することを特徴とする飛灰の処理方法。
【発明の詳細な説明】
【０００１】
【発明の属する技術分野】
本発明は、飛灰の処理方法に関する技術分野に属し、特には、廃棄物焼却炉の排ガス中の飛灰についての無害化と減容化のための溶融処理に関する技術分野に属する。
【０００２】
【従来の技術】
特開平11-76995号公報には、都市ごみ焼却炉の飛灰の無害化と減容化のために飛灰を溶融処理するに際し、飛灰に廃ガラス等の添加物を加えて被溶融物の(Na ＋K)/Cl 、CaO/SiO2、及び、Al2O3/(CaO＋SiO2＋Al2O3)を調整することを特徴とする飛灰溶融処理方法が記載されている。また、溶融炉への空気の供給についても記載されている。溶融処理のための溶融炉に関し、その種類としては特定されておらず、実施例においては上部加熱素子と下部加熱素子とにより加熱する方式のものが使用されたと記載されている。
【０００３】
特開平10-323644 号公報には、ごみ焼却炉の排ガス流路に、HCl 除去剤として炭酸カルシウム等のカルシウム含有物質の粉末を投入すると共に、高温で塩化カルシウムとの反応性を有するアルカリ金属化合物を含む物質の粉末を投入し、投入した粉末及びその反応生成物をごみ焼却炉から飛散してくる煤じんと一緒に集じん機で捕集し、捕集された物質を電気抵抗式溶融炉にて溶融処理することを特徴とするごみ焼却飛灰の溶融処理方法が記載されている。
【０００４】
特開平11-165036 号公報には、廃棄物焼却炉の排ガスを集じん機により集じん処理し、この集じん機に捕集された塩類等を含む灰（集じん機捕集灰）を溶融処理するに際し、前記排ガスに消石灰等のカルシウム系薬剤と重炭酸ソーダ等のナトリウム系薬剤を添加して、集じん機捕集灰のカルシウムとナトリウムの含有量を調整することを特徴とする廃棄物焼却炉排ガスの処理方法が記載されている。溶融処理のための溶融炉の種類については、特定されておらず、また、何も記載されていない。
【０００５】
【発明が解決しようとする課題】
ところが、特開平11-76995号公報に記載された飛灰溶融処理方法においては、飛灰に廃ガラス等の添加物を加えるため、この添加物により、溶融処理すべき飛灰等の溶融処理対象物（被溶融物）の量が増大するという問題点がある。
【０００６】
また、溶融炉への空気の供給についても記載されているものの、常温の空気を供給するというのでは溶融塩の揮発が不充分であるという問題点がある。即ち、溶融処理対象物（被溶融物）の中には塩化物（NaCl、KCl 、CaCl2 等）が含まれており、これらの塩化物は溶融処理の際に溶融して溶融塩となり、この溶融塩は溶融処理の際に揮発して系外に排出されることが重要であるが、上記のような方法では、この溶融塩の揮発が不充分である。このように溶融塩の揮発が不充分であると、溶融塩が溶融炉内に残留し、蓄積されて滞留し、このため安定した溶融処理の操業をすることが困難になる。
【０００７】
特開平10-323644 号公報に記載された飛灰の溶融処理方法においては、焼却炉の排ガス流路にカルシウム含有物質の粉末及びアルカリ金属化合物含有物質の粉末を投入し、投入した粉末及びその反応生成物を焼却炉から飛散してくる煤じんと一緒に集じん機で捕集し、捕集された物質を溶融処理するので、溶融処理対象物の量が増大するという問題点がある。これは、塩化水素との反応剤としてカルシウム含有物質を投入し、さらにアルカリ金属化合物含有物質を投入するからである。また、溶融塩のキャリアガス投入については何も記載されていないので、溶融塩のキャリアガス投入をしておらず、このため溶融塩の揮発が不充分であると考えられる。
【０００８】
特開平11-165036 号公報に記載された廃棄物焼却炉排ガスの処理方法においては、溶融塩のキャリアガス投入をしておらず、このため溶融塩の揮発が不充分であると考えられる。
【０００９】
本発明は、このような事情に着目してなされたものであって、その目的は、廃棄物焼却炉の排ガスにHCl 除去剤を添加し、この排ガスを集じん装置により集じん処理し、この集じん装置に捕集された物質（HCl とHCl 除去剤の反応物である塩化物等を含む飛灰）を溶融処理対象物（被溶融物）として溶融炉において溶融処理するに際し、溶融処理対象物の量の増大が少なく、また、溶融処理対象物の融点が低くて溶融処理温度を低くすることができ、また、溶融処理の際に溶融塩が充分に揮発して溶融塩の溶融炉内滞留の発生を抑制することができ、更に、溶融処理の際に発生する排ガス中のHCl 量を低減することができる飛灰の処理方法を提供しようとするものである。
【００１０】
【課題を解決するための手段】
上記の目的を達成するために、本発明に係る飛灰の処理方法は請求項１記載の飛灰の処理方法としており、それは次のような構成としたものである。
【００１１】
即ち、請求項１記載の飛灰の処理方法は、廃棄物の焼却炉より発生する排ガスに HCl除去剤としてナトリウム系薬剤のみを添加した後、この排ガスを集じん装置により集じん処理し、この集じん装置に捕集された飛灰を、そのまま、プラズマガスを空気としたプラズマトーチを用いたプラズマ溶融方式の溶融炉においてプラズマにより溶融処理することを特徴とする飛灰の処理方法である（第１発明）。
【００１３】
【発明の実施の形態】
本発明に係る飛灰の処理方法は、前述の如く、廃棄物の焼却炉より発生する排ガス（以下、焼却炉排ガスという）に HCl除去剤としてナトリウム系薬剤のみを添加した後、この排ガスを集じん装置により集じん処理し、この集じん装置に捕集された飛灰（以下、集じん装置捕集物ともいう）をそのままプラズマトーチを用いたプラズマ溶融方式の溶融炉（以下、プラズマ溶融炉という）においてプラズマにより溶融処理するようにしている。
【００１４】
前記焼却炉排ガスに添加されるナトリウム系薬剤は、HCl 除去剤として作用するものであり、より詳細には、前記ナトリウム系薬剤は、前記焼却炉排ガス中のHCl と反応し、このHCl を塩化物にする作用を有する。従って、本発明に係る飛灰の処理方法は、HCl 除去剤としてはナトリウム系薬剤を使用することに特徴を有するものであるといえる。そして、溶融処理対象物の溶融処理のための溶融炉としてはプラズマトーチを用いたプラズマ溶融炉を使用することに特徴を有するものであるといえる。即ち、本発明に係る飛灰の処理方法は、廃棄物の焼却炉より発生する排ガスにHCl 除去剤を添加した後、この排ガスを集じん装置により集じん処理し、この集じん装置に捕集された飛灰を溶融炉において溶融処理する飛灰の処理方法であって、前記HCl 除去剤としてはナトリウム系薬剤を添加し、前記溶融炉としてプラズマトーチを用いたプラズマ溶融炉を使用しプラズマにより溶融処理をすることを特徴とする廃棄物焼却炉排ガスの処理方法であるといえる。換言すれば、廃棄物の焼却炉より発生する排ガスにHCl 除去剤を添加した後、この排ガスを集じん装置により集じん処理し、この集じん装置に捕集された物質を溶融炉において溶融処理する廃棄物焼却炉排ガスの処理方法であって、前記HCl 除去剤としてはナトリウム系薬剤を添加し、前記溶融炉としてプラズマトーチを用いたプラズマ溶融炉を使用しプラズマにより溶融処理をすることを特徴とする廃棄物焼却炉排ガスの処理方法である。
【００１５】
このようにHCl 除去剤としてナトリウム系薬剤のみを使用するので、これに起因して、溶融処理対象物の量の増大が少なく、また、溶融処理対象物の融点が低くて溶融処理温度を低くすることができ、更に、溶融処理の際に発生する排ガス（以下、溶融処理時排ガスという）中のHCl 量を低減することができる。また、HCl 除去剤としてナトリウム系薬剤のみを使用すると共に、溶融処理対象物の溶融処理のための溶融炉としてプラズマトーチを用いたプラズマ溶融炉を使用するので、これに起因して、溶融処理の際に溶融塩が充分に揮発して溶融塩の溶融炉内滞留の発生を抑制することができる。
【００１６】
この詳細を以下説明する。
【００１７】
本発明に係る飛灰の処理方法は、前記の如く、HCl 除去剤としてナトリウム系薬剤のみを使用するので、この薬剤の添加、集じん処理後に得られる集じん装置捕集物は、焼却炉排ガス中に含まれていた飛灰と、ナトリウム系薬剤と焼却炉排ガス中のHCl との反応生成物である塩化物とを含んでおり、あるいは更に少量の未反応ナトリウム系薬剤を含んでいる。そして、この集じん装置捕集物は、溶融処理対象物（被溶融物）として溶融処理に供される。
【００１８】
前記ナトリウム系薬剤と焼却炉排ガス中HCl との反応生成物である塩化物は、前記ナトリウム系薬剤よりも分子量の小さな物質である。このため、投入したナトリウム系薬剤の量に対して生成される塩化物の量が少なく、溶融処理対象物の量の増大が少なくなる。尚、これに対し、HCl 除去剤として例えばカルシウム系薬剤を添加した場合には、カルシウム系薬剤と焼却炉排ガス中HCl との反応生成物である塩化物は、前記カルシウム系薬剤よりも分子量の大きな物質であり、このため、投入したカルシウム系薬剤の量に対して生成する塩化物の量が多く、溶融処理対象物の量の増大が大きくなる。
【００１９】
前記溶融処理に供される集じん装置捕集物（即ち、溶融処理対象物）は、前記の如く、飛灰と、ナトリウム系薬剤とHCl との反応生成物である塩化物、あるいは更に少量の未反応ナトリウム系薬剤を含んでいるので、ナトリウムを比較的多く含んでおり、このため融点が低く、従って、溶融処理の際の溶融処理温度を低くすることができる。尚、これに対し、HCl 除去剤として例えばカルシウム系薬剤を添加した場合には、溶融処理対象物はカルシウムを比較的多く含んでおり、このため、融点が高く、従って、溶融処理の際の溶融処理温度を高くしなければならない。
【００２０】
本発明に係る飛灰の処理方法の場合の溶融処理対象物は、前記のような組成を有するものであるので、この溶融処理対象物の溶融処理に際してHCl が発生し難く、このため溶融処理時排ガス中のHCl 量を低減することができる。即ち、この溶融処理対象物中のナトリウム系薬剤とHCl との反応生成物である塩化物は、溶融処理の際に化学変化を起こし難く、主に固体から気体への物理的変化を起こして気体として蒸発するので、この塩化物からHCl は発生し難く、このため溶融処理時排ガス中のHCl 量を低減することができる。尚、これに対し、HCl 除去剤として例えばカルシウム系薬剤を添加した場合には、溶融処理対象物はカルシウム系薬剤とHCl との反応生成物である塩化物を含んでおり、この塩化物は溶融処理の際に化学変化を起こしてHCl を発生し、このため溶融処理時排ガス中のHCl 量が多くなる。
【００２１】
本発明に係る飛灰の処理方法の場合の溶融処理対象物は、前記のような組成を有することに起因して前記のように融点が低く、また、沸点が低く、このため、溶融処理の際に溶融塩が揮発し易い。また、溶融処理対象物の溶融処理のための溶融炉としてプラズマトーチを用いたプラズマ溶融炉を使用し、プラズマにより溶融処理するので、プラズマの高温により溶融炉内を高温にすることができ、また、多量のプラズマガスが用いられ、これがキャリアガスとして作用するので、溶融処理の際に溶融塩を充分に揮発させ、系外（炉外）に排出させることができる。従って、溶融塩が溶融炉内に残留せず、蓄積されなくなり、このため溶融塩の溶融炉内滞留の発生を抑制することができる。
【００２２】
前記プラズマトーチに用いるプラズマガス（プラズマ生成ガス）を空気とすることが望ましい。プラズマ生成ガスとして空気を用いることで、不活性ガス等を用いる場合よりも、低コストで、安定してプラズマを発生させ、かつ、溶融塩の揮発を充分にできるガス量を提供できるからである。
【００２３】
本発明に係る飛灰の処理方法において、焼却炉排ガスにHCl 除去剤として添加するナトリウム系薬剤としては、その種類は特には限定されず、種々のナトリウム系薬剤を使用することができ、例えば、重炭酸ソーダ、炭酸ソーダ等を使用することができる。
【００２４】
前記ナトリウム系薬剤の添加量については、特には限定されないが、焼却炉排ガス中のHCl 量に応じて設定することが望ましい。例えば、焼却炉排ガス中HCl の全てを塩化物に変化させるだけの添加量とすることが望ましい。
【００２５】
【実施例】
本発明の実施例に係る飛灰の処理に用いた廃棄物の焼却炉及び集じん装置を図１に示し、この集じん装置での捕集物質を溶融処理するプラズマ溶融炉を図２に示す。この図１及び図２に示す装置を用いて本発明の実施例に係る飛灰の処理を行った。この詳細を以下説明する。
【００２６】
廃棄物はホッパー２より焼却炉１へ投入され、ストーカＳ上で燃焼し、灰となる。この灰の中、約７０％は主灰３として炉底から排出されるが、残り（約３０％）は飛灰として焼却炉排ガスとともに煙道４へ流れる。
【００２７】
この飛灰を含む焼却炉排ガスは、煙道４から排ガス冷却室５に入り、水スプレー６により冷却される。そして、この排ガスにHCl 除去剤７としてナトリウム系薬剤を添加した後、この排ガスを集じん装置であるバグフィルター８により集じん処理し、このバグフィルター８に捕集された物質（集じん装置捕集物）９をバグフィルター８から排出する。一方、集じん処理された後のガスは、誘引ファン１０を経て煙突１１より大気中へ放出される。尚、上記ナトリウム系薬剤としては重炭酸ナトリウム〔NaHCO3〕のみを使用した。
【００２８】
上記集じん装置捕集物９は、ナトリウム系薬剤と焼却炉排ガス中HCl との反応生成物である塩化物と少量のナトリウム系薬剤を含んでいる飛灰である。
【００２９】
上記集じん装置捕集物９は、溶融処理対象物としてスクリューフィーダ１６により定量的にプラズマ溶融炉１２に供給される。このプラズマ溶融炉１２には、３０００℃以上の高温を発生するプラズマトーチ１３が挿入されており、このプラズマトーチ１３にはエネルギー源である直流電力を供給するプラズマ電源装置１４が接続され、また、プラズマ生成ガスである空気を送給するための空気コンプレッサー１５が接続されている。
【００３０】
上記プラズマ溶融炉１２に供給された集じん装置捕集物９（溶融処理対象物）は、プラズマの高温により溶融処理され、溶融スラグ１７となって排出部１８から系外へ排出される。一方、この溶融処理により溶融炉から排ガス１９が発生する。この溶融炉から発生した排ガス（以下、溶融炉排ガスという）１９には、溶融処理対象物中の飛灰に含まれていた鉛、カドミウム等の低沸点金属が含まれており、また、ナトリウム系薬剤と焼却炉排ガス中HCl との反応生成物である塩化物が気化したもの（塩化物の気体）が含まれている。
【００３１】
上記溶融炉排ガス１９は、排ガス冷却室２０に入り、水スプレー２１により冷却された後、HCl 除去用薬剤２６が添加され、バグフィルター２２により集じん処理され、クリーンな排ガスとなる。そして、この排ガスは、誘引ファン２４を経て煙突２５より大気中へ放出される。一方、バグフィルター２２に捕集された物質２３はバグフィルター２２から排出される。
【００３２】
以上のようにして本発明の実施例に係る飛灰の処理を行った。
【００３３】
一方、比較のために、HCl 除去剤７としてナトリウム系薬剤に代えてカルシウム系薬剤を用い、この点を除き本発明の実施例の場合と同様のプロセスにより、飛灰の処理を行った。即ち、比較例に係る飛灰の処理を行った。尚、上記カルシウム系薬剤としては消石灰〔Ca(OH)2 〕を使用した。
【００３４】
上記飛灰の処理の結果を以下説明する。
【００３５】
表１に、焼却炉排ガスのHCl 除去剤添加処理に関するデータを主に示す。表１からわかる如く、バグフィルター８の入口における焼却炉排ガス中のHCl の濃度：１０００ｐｐｍをバグフィルター８の出口において１００ｐｐｍまで低減するのに必要なHCl 除去剤の添加量、即ち、HCl 濃度：１０００ｐｐｍの焼却炉排ガスをHCl 濃度：１００ｐｐｍの焼却炉排ガスにするのに必要なHCl 除去剤の添加量は、HCl 除去剤が重炭酸ナトリウムの場合は７５ｋｇ／ｈ、HCl 除去剤が消石灰の場合は６５ｋｇ／ｈである。なお、表１において、Na系とは重炭酸ナトリウム〔NaHCO3〕のことであり、Ca系とは消石灰〔Ca(OH)2 〕のことである。また、表２〜５（後記）においても、Na系とは重炭酸ナトリウムのことであり、Ca系とは消石灰のことである。
【００３６】
表２に、集じん装置捕集物の量、成分及び融点を示す。表２からわかる如く、集じん装置捕集物９の量、即ち、HCl 除去剤の投入量に対する溶融処理対象物の発生量は、HCl 除去剤が重炭酸ナトリウムの場合の方がHCl 除去剤が消石灰の場合よりも少なくなっている。これは、HCl 除去剤が重炭酸ナトリウム〔NaHCO3〕の場合は、焼却炉排ガス中のHCl と下記式▲１▼の反応を生じ、反応生成物の塩化物〔NaCl〕が反応前のNaHCO3よりも分子量の小さな物質となるのに対し、HCl 除去剤が消石灰〔Ca(OH)2 〕の場合は、焼却炉排ガス中のHCl と下記式▲２▼の反応を生じ、反応生成物の塩化物〔CaCl2 〕は反応前のCa(OH)2 よりも分子量の大きな物質となるからである。即ち、焼却炉排ガス中のHCl とHCl 除去剤との反応前における固体（HCl 除去剤）の分子量に比較し、反応後における生成物の中の固体（塩化物）の分子量が、HCl 除去剤が消石灰の場合は大きくなるのに対し、HCl 除去剤が重炭酸ナトリウムの場合は小さくなるからである。尚、下記式▲１▼、▲２▼において、[ ] 内の数値は分子量を示すものである。
【００３７】
NaHCO3[84]＋HCl[36.5] →NaCl[58.5]＋CO2[44] ＋H2O[18] --------- 式▲１▼
Ca(OH)2[74] ＋2HCl[2×36.5=73]→CaCl2[111]＋2H2O[2×18=36] ---- 式▲２▼
【００３８】
また、表２からわかる如く、集じん装置捕集物（溶融処理対象物）中のNa量及びCa量については、HCl 除去剤が重炭酸ナトリウムの場合は、Na量が２３％と多いのに対し、HCl 除去剤が消石灰の場合は、Ca量が４４％と多い。Ca量が多い場合には融点が高いことが知られており、集じん装置捕集物（溶融処理対象物）の融点は、HCl 除去剤が消石灰の場合は１３８０℃と高いのに対し、HCl 除去剤が重炭酸ナトリウムの場合は１２２０℃と低い。
【００３９】
表３に、溶融処理対象物の溶融処理に関するデータを示す。表３からわかるように、溶融処理温度すなわちプラズマ溶融炉の操業温度は、前記融点の相違（高低）により、HCl 除去剤が消石灰の場合は１４００℃と高いのに対し、HCl 除去剤が重炭酸ナトリウムの場合は１２８０℃と低い。このため、HCl 除去剤が重炭酸ナトリウムの場合は溶融処理に必要なプラズマ出力が少なくなり、HCl 除去剤が消石灰の場合は３００ｋＷと大きいのに対し、HCl 除去剤が重炭酸ナトリウムの場合は２４０ｋＷと小さかった。
【００４０】
表４に、溶融炉排ガス（溶融処理により溶融炉から発生した排ガス）１９中のHCl 濃度、この排ガス１９に対するHCl 除去剤添加処理に関するデータを主に示す。尚、このHCl 除去剤としては本発明の実施例の場合も比較例の場合も消石灰を用いた。
【００４１】
表４からわかる如く、溶融炉排ガス１９中のHCl 濃度は、焼却炉排ガスのHCl 除去剤が消石灰の場合は１４６０５ｐｐｍと高いのに対し、焼却炉排ガスのHCl 除去剤が重炭酸ナトリウムの場合は２３５４ｐｐｍと極めて低い。これは、焼却炉排ガスのHCl 除去剤が消石灰の場合は、消石灰の反応生成物である塩化物（CaCl2 ）が溶融処理の際に、CaCl2 ＋2H2O→CaO ＋2HClの反応によってHCl を発生させるのに対し、焼却炉排ガスのHCl 除去剤が重炭酸ナトリウムの場合は、重炭酸ナトリウムの反応生成物である塩化物〔NaCl（固体）〕が溶融処理の際に、NaCl（固体）→NaCl（気体）の反応によって蒸発し、HCl の発生が起こらないからである。
【００４２】
かかる溶融炉排ガス１９中のHCl 濃度の相違（高低）に起因して、溶融炉排ガス１９中のHCl 濃度を１００ｐｐｍまで低減するのに必要な消石灰の添加量は、焼却炉排ガスのHCl 除去剤が消石灰の場合は１００ｋｇ／ｈと多いのに対し、焼却炉排ガスのHCl 除去剤が重炭酸ナトリウムの場合は４０ｋｇ／ｈと少ない（表４）。このため、バグフィルター２２に捕集された物質（バグフィルター捕集物）２３の量は、表４に示す如く、焼却炉排ガスのHCl 除去剤が消石灰の場合は１４６ｋｇ／ｈと多いのに対して、焼却炉排ガスのHCl 除去剤が重炭酸ナトリウムの場合は７１ｋｇ／ｈと少ない。この溶融飛灰は埋立地に処分することになるので、埋立地の残余年数を大幅にのばすことができる。
【００４３】
以上のデータに基づき、集じん装置捕集物（溶融処理対象物）の溶融処理コスト（溶融処理および溶融炉排ガス１９の処理に要したコスト）を求めた。その結果、溶融処理及び溶融炉排ガス１９の処理に要したトータルコストは、比較例の場合（焼却炉排ガスのHCl 除去剤が消石灰の場合）に対し、本発明の実施例の場合（焼却炉排ガスのHCl 除去剤が重炭酸ナトリウムの場合）は大幅に削減できることが判明した。
【００４４】
表５に、溶融処理の際の溶融塩の溶融炉内滞留の発生の有無、発生の状況についての観察結果を示す。比較例の場合には溶融塩の溶融炉内滞留の発生がみられたが、本発明の実施例の場合には溶融塩の溶融炉内滞留の発生は全くみられなかった。
【００４５】
尚、上記本発明の実施例においては、焼却炉排ガスのHCl 除去剤のナトリウム系薬剤として重炭酸ナトリウム〔NaHCO3〕を用いたが、重炭酸ナトリウムに代えて炭酸ナトリウム等のナトリウム系薬剤を用いた場合も、上記と同様の傾向の結果が得られた。
【００４６】
【表１】
0003862940.tif 000002
【００４７】
【表２】
0003862940.tif 000003
【００４８】
【表３】
0003862940.tif 000004
【００４９】
【表４】
0003862940.tif 000005
【００５０】
【表５】
0003862940.tif 000006
【００５１】
【発明の効果】
本発明に係る飛灰の処理方法によれば、廃棄物焼却炉の排ガスにHCl 除去剤を添加し、この排ガスを集じん装置により集じん処理し、この集じん装置に捕集された飛灰を溶融処理対象物（被溶融物）として溶融炉において溶融処理するに際し、溶融処理対象物の量の増大が少なく、また、溶融処理対象物の融点が低くて溶融処理温度を低くすることができ、また、溶融処理の際に溶融塩が充分に揮発して溶融塩の溶融炉内滞留の発生を抑制することができ、さらに、溶融処理の際に発生する排ガス（溶融炉排ガス）中のHCl 量を低減することができるようになる。ひいては、低コストで、且つ、安定して廃棄物焼却炉排ガス処理の操業をすることができるようになる。
【００５２】
また、プラズマガスとして空気を用いることで、不活性ガス等を用いる場合よりも、低コストで、安定してプラズマを発生させ、かつ、溶融塩の揮発を充分にできるガス量を提供できる。
【図面の簡単な説明】
【図１】  本発明の実施例に係る飛灰の処理に用いた廃棄物の焼却炉及び集じん装置の概要を示す模式図である。
【図２】  本発明の実施例に係る集じん装置での捕集物質を溶融処理するプラズマ溶融炉及び該溶融炉からの排出物を処理する装置の概要を示す模式図である。
【符号の説明】
１--焼却炉、２--ホッパー、３--- 主灰、４--- 煙道、５--- 冷却室、６--水スプレー、７--- HCl 除去剤、８--- バグフィルター、９--集じん装置捕集物、１０--誘引ファン、１１--- 煙突、１２--プラズマ溶融炉、１３--プラズマトーチ、１４--プラズマ電源装置、１５--空気コンプレッサー、１６--スクリューフィーダ、１７--溶融スラグ、１８--排出部、１９--- 排ガス、２０--排ガス冷却室、２１--- 水スプレー、２２--- バグフィルター、２３--バグフィルター捕集物、２４--誘引ファン、２５--煙突、２６--HCl 除去用薬剤、Ｓ--ストーカ。
【図１】
0003862940.tif 000007
【図２】
0003862940.tif 000008